(57)【要約】【課題】広告の切り換えや広告に関する情報の要求操作をしない広告閲覧者に対しても広告効果を向上させる。【解決手段】情報表示装置３００では、無線タグリーダ３１０により、電波を介して非接触で第１の無線タグ１１０に格納された属性情報、および第２の無線タグ２１０に格納された端末識別情報を読み込み、情報提供装置４００に送信する。情報提供装置４００では、広告情報取得部４３０により、上記属性情報に基づいて広告情報格納部４１０から広告情報および付加情報を取得する。広告情報は、広告情報配信部４４０により情報表示装置３００に配信され広告閲覧者に提示される。また、付加情報は、付加情報送信部４７０によりネットワーク１０を介して携帯端末装置２００に送信される。【選択図】  図１
2004341316.tif 000002
【特許請求の範囲】
【請求項１】
物品に付された第１の無線タグから当該物品に関する属性情報と、ネットワークを介して通信可能な携帯端末装置に付された第２の無線タグから当該携帯端末装置を識別するための端末識別情報とを読み取る無線タグリーダと、
複数の広告情報および該複数の広告情報の各々に関する付加情報を予め格納する広告情報格納手段と、
前記端末識別情報に対応付けて前記携帯端末装置の前記ネットワークにおけるアドレスを表すアドレス情報を予め格納するアドレス情報格納手段と、
前記無線タグリーダによって読み込まれた属性情報に基づいて前記広告情報格納手段から広告情報および付加情報を取得する広告情報取得手段と、
前記広告情報取得手段によって取得された広告情報を出力する広告情報出力手段と、
前記無線タグリーダによって読み込まれた端末識別情報に対応するアドレス情報を前記アドレス情報格納手段から取得するアドレス情報取得手段と、
前記広告情報取得手段によって取得された付加情報を、前記アドレス情報取得手段によって取得されたアドレス情報に基づいて、前記ネットワークを介して、前記携帯端末装置に送信する付加情報送信手段と
を具備することを特徴とする広告情報提供装置。
【請求項２】
前記付加情報送信手段は、
前記無線タグリーダによって属性情報が読み込まれてから所定の時間範囲内に前記端末識別情報が読み込まれた場合に、前記広告情報取得手段によって取得された付加情報を、アドレス情報に基づいて前記携帯端末装置に送信することを特徴とする請求項１記載の広告情報提供装置。
【請求項３】
前記付加情報送信手段は、
前記広告情報取得手段によって取得された付加情報を、前記無線タグリーダによって属性情報が読み込まれたから最も近い時期に読み込まれた端末識別情報に対応するアドレス情報に基づいて前記携帯端末装置に送信することを特徴とする請求項１記載の広告情報提供装置。
【請求項４】
前記広告情報出力手段を識別する出力先識別情報を予め格納する出力先識別情報格納手段を具備し、
前記広告情報取得手段は、前記出力先識別情報に基づいて、前記広告情報格納手段から広告情報および付加情報を取得することを特徴とする請求項１ないし３のいずれかに記載の広告情報提供装置。
【請求項５】
現在時刻を表す時刻情報を生成する時刻情報生成手段を具備し、
前記広告情報取得手段は、前記無線タグリーダによって属性情報および端末識別情報が読み込まれた時点における、前記時刻情報生成手段により生成された時刻情報に基づいて、前記広告情報格納手段から広告情報および付加情報を取得することを特徴とする請求項１ないし４のいずれかに記載の広告情報提供装置。
【請求項６】
物品に付された第１の無線タグから当該物品に関する属性情報と、ネットワークを介して通信可能な携帯端末装置に付された第２の無線タグから当該携帯端末装置を識別するための端末識別情報とを無線タグリーダによって読み取り、
前記属性情報に基づいて広告情報および付加情報を取得し、
前記取得された広告情報を前記無線タグリーダが設けられた情報表示装置に出力し、
前記取得された付加情報を、前記端末識別情報に対応する携帯端末装置に送信することを特徴とする広告情報提供方法。
【請求項７】
前記無線タグリーダによって属性情報が読み込まれてから所定の時間範囲内に前記端末識別情報が読み込まれた場合に、前記取得された付加情報を、アドレス情報に基づいて前記携帯端末装置に送信することを特徴とする請求項６記載の広告情報提供方法。
【請求項８】
前記広告情報取得手段によって取得された付加情報を、前記無線タグリーダによって属性情報が読み込まれたから最も近い時期に読み込まれた端末識別情報に対応するアドレス情報に基づいて前記携帯端末装置に送信することを特徴とする請求項６記載の広告情報提供方法。
【請求項９】
前記無線タグリーダが設けられた情報表示装置を識別する出力先識別情報に基づいて、前記広告情報および付加情報を取得することを特徴とする請求項６ないし８のいずれかに記載の広告情報提供方法。
【請求項１０】
前記無線タグリーダによって属性情報および端末識別情報が読み込まれた時刻を表す時間情報に基づいて、前記広告情報および付加情報を取得することを特徴とする請求項６ないし９のいずれかに記載の広告情報提供方法。
【発明の詳細な説明】
【０００１】
【発明の属する技術分野】
本発明は、広告情報提供システムに関し、詳しくは、物品に付された無線タグに格納された情報に基づいて映像等の広告情報を提供する広告情報提供装置および広告情報提供方法に関する。
【０００２】
【従来の技術】
従来、街頭や店舗等に設置され、ブラウン管や液晶等を使用して広告を表示する情報表示装置が知られている。これら従来の情報表示装置は、予め格納された映像情報を広告として表示するものと、ネットワークを介して受信した映像情報を広告として表示するものがある。
【０００３】
広告効果を高めるものとして、例えば、携帯端末から所定の電話番号に電話をしたり、電子メイルアドレスに電子メイルを送信したりすることで、広告閲覧者の要求に応じて情報表示装置に表示される広告を切り換えるものがある（例えば特許文献１参照）。
【０００４】
また、携帯端末から所定のホームページにアクセスし、情報表示装置の位置情報を送信することによって、情報表示装置に表示されている広告に関する情報が携帯端末に送信されるものがある（例えば特許文献２参照）。
【０００５】
【特許文献１】
特開２００２−１５０１３０号公報
【特許文献２】
特開２００２−３４２２０９号公報
【０００６】
【発明が解決しようとする課題】
しかしながら、前述したような従来技術では、広告の切り換えや広告に関する情報の要求操作を広告閲覧者に行わせる必要があるため、要求操作をしない広告閲覧者に対しては、広告効果が期待できないという問題があった。
【０００７】
この発明は上述した事情に鑑みてなされたもので、広告の切り換えや広告に関する情報の要求操作をしない広告閲覧者に対しても広告効果を向上させることができる広告情報提供装置および広告情報提供方法を提供することを目的とする。
【０００８】
【課題を解決するための手段】
上述した問題点を解決するために、請求項１記載の発明では、物品に付された第１の無線タグから当該物品に関する属性情報と、ネットワークを介して通信可能な携帯端末装置に付された第２の無線タグから当該携帯端末装置を識別するための端末識別情報とを読み取る無線タグリーダと、複数の広告情報および該複数の広告情報の各々に関する付加情報を予め格納する広告情報格納手段と、前記端末識別情報に対応付けて前記携帯端末装置の前記ネットワークにおけるアドレスを表すアドレス情報を予め格納するアドレス情報格納手段と、前記無線タグリーダによって読み込まれた属性情報に基づいて前記広告情報格納手段から広告情報および付加情報を取得する広告情報取得手段と、前記広告情報取得手段によって取得された広告情報を出力する広告情報出力手段と、前記無線タグリーダによって読み込まれた端末識別情報に対応するアドレス情報を前記アドレス情報格納手段から取得するアドレス情報取得手段と、前記広告情報取得手段によって取得された付加情報を、前記アドレス情報取得手段によって取得されたアドレス情報に基づいて、前記ネットワークを介して、前記携帯端末装置に送信する付加情報送信手段とを具備することを特徴とする。
【０００９】
また、請求項２記載の発明では、請求項１記載の広告情報提供装置において、前記付加情報送信手段は、前記無線タグリーダによって属性情報が読み込まれてから所定の時間範囲内に前記端末識別情報が読み込まれた場合に、前記広告情報取得手段によって取得された付加情報を、アドレス情報に基づいて前記携帯端末装置に送信することを特徴とする。
【００１０】
また、請求項３記載の発明では、請求項１記載の広告情報提供装置において、前記付加情報送信手段は、前記広告情報取得手段によって取得された付加情報を、前記無線タグリーダによって属性情報が読み込まれたから最も近い時期に読み込まれた端末識別情報に対応するアドレス情報に基づいて前記携帯端末装置に送信することを特徴とする。
【００１１】
また、請求項４記載の発明では、請求項１ないし３のいずれかに記載の広告情報提供装置において、前記広告情報出力手段を識別する出力先識別情報を予め格納する出力先識別情報格納手段を具備し、前記広告情報取得手段は、前記出力先識別情報に基づいて、前記広告情報格納手段から広告情報および付加情報を取得することを特徴とする。
【００１２】
また、請求項５記載の発明では、請求項１ないし４のいずれかに記載の広告情報提供装置において、現在時刻を表す時刻情報を生成する時刻情報生成手段を具備し、前記広告情報取得手段は、前記無線タグリーダによって属性情報および端末識別情報が読み込まれた時点における、前記時刻情報生成手段により生成された時刻情報に基づいて、前記広告情報格納手段から広告情報および付加情報を取得することを特徴とする。
【００１３】
また、上述した問題点を解決するために、請求項６記載の発明では、物品に付された第１の無線タグから当該物品に関する属性情報と、ネットワークを介して通信可能な携帯端末装置に付された第２の無線タグから当該携帯端末装置を識別するための端末識別情報とを無線タグリーダによって読み取り、前記属性情報に基づいて広告情報および付加情報を取得し、前記取得された広告情報を前記無線タグリーダが設けられた情報表示装置に出力し、前記取得された付加情報を、前記端末識別情報に対応する携帯端末装置に送信することを特徴とする。
【００１４】
また、請求項７記載の発明では、請求項６記載の広告情報提供方法において、前記無線タグリーダによって属性情報が読み込まれてから所定の時間範囲内に前記端末識別情報が読み込まれた場合に、前記取得された付加情報を、アドレス情報に基づいて前記携帯端末装置に送信することを特徴とする。
【００１５】
また、請求項８記載の発明では、請求項６記載の広告情報提供方法において、前記広告情報取得手段によって取得された付加情報を、前記無線タグリーダによって属性情報が読み込まれたから最も近い時期に読み込まれた端末識別情報に対応するアドレス情報に基づいて前記携帯端末装置に送信することを特徴とする。
【００１６】
また、請求項９記載の発明では、請求項６ないし８のいずれかに記載の広告情報提供方法において、前記無線タグリーダが設けられた情報表示装置を識別する出力先識別情報に基づいて、前記広告情報および付加情報を取得することを特徴とする。
【００１７】
また、請求項１０記載の発明では、請求項６ないし９のいずれかに記載の広告情報提供方法において、前記無線タグリーダによって属性情報および端末識別情報が読み込まれた時刻を表す時間情報に基づいて、前記広告情報および付加情報を取得することを特徴とする。
【００１８】
この発明では、広告閲覧者が携行する物品に付された無線タグに格納された情報に基づいて提供する広告を変化させ、広告に関する付加情報を広告閲覧者に向けて送信する。したがって、広告の切り換えや広告に関する情報の要求操作をしない広告閲覧者に対しても広告効果を向上させることがことが可能となる。
【００１９】
【発明の実施の形態】
以下、図面を用いて本発明の実施の形態を説明する。
Ａ．実施形態の構成
図１は、本発明の一実施形態に係る広告情報提供システム１０００の構成を示すブロック図である。広告情報提供システム１０００は、雑誌１００に付された第１の無線タグ１１０と、携帯電話等の携帯端末装置２００に付された第２の無線タグ２１０と、広告情報を画像表示する情報表示装置３００と、ネットワーク１０を介して情報表示装置３００に広告情報を提供する情報提供装置４００とを備えている。
【００２０】
ここで、広告情報は、映像情報、静止画情報、音声情報、または文字情報等よりなり、本実施形態においては、広告情報として映像情報を適用した例について説明する。なお、図１において、１つの情報表示装置３００が図示されているが、広告情報提供システム１０００は、複数の情報表示装置３００によって構成することもできる。
【００２１】
雑誌１００には、第１の無線タグ１１０が付されている。この第１の無線タグ１１０には、雑誌１００に関する属性情報が予め格納されている。ここで、属性情報は、「釣り雑誌ＸＸＸ」等の雑誌１００の名称を表す情報、「釣り雑誌」等の分野を表す情報、または「若年層男性向け」等の消費者層を表す情報等よりなる。なお、本実施形態においては、属性情報として名称を表す情報を適用した場合について説明する。また、本実施形態においては、雑誌を例に説明しているが、本発明は、衣類や服飾品等、広告閲覧者に携行される物品にも適用することができる。
【００２２】
携帯端末装置２００には、第２の無線タグ２１０が付されている。この第２の無線タグ２１０には、携帯端末装置２００を識別するための端末識別情報が予め格納されている。
【００２３】
情報表示装置３００は、第１の無線タグ１１０および第２の無線タグ２１０から属性情報および端末識別情報を読み込む無線タグリーダ３１０と、広告情報を出力する広告情報出力部３２０と、広告情報出力部３２０を識別する識別情報を予め格納する出力先識別情報格納部３３０と、ネットワーク１０に接続された装置と通信を行うネットワークインターフェース３４０とを備えている。
【００２４】
無線タグリーダ３１０は、公知のＲＦＩＤ（Ｒａｄｉｏ  Ｆｒｅｑｕｅｎｃｙ  Ｉｄｅｎｔｉｆｉｃａｔｉｏｎ、電波方式認識）技術によって、電波を介して非接触で第１の無線タグ１１０に格納された属性情報、および第２の無線タグ２１０に格納された端末識別情報を読み込み、読み込んだ属性情報および端末識別情報を、ネットワークインターフェース３４０を介して情報提供装置４００に送信するようになっている。
【００２５】
広告情報出力部３２０は、映像情報を出力するためのディスプレイ装置と映像情報に含まれる音声情報を出力するためのスピーカ装置とを備え、ネットワークインターフェース３４０を介して受信された広告情報を出力するようになっている。出力先識別情報格納部３３０は、広告情報出力部３２０を識別する出力先識別情報を予め格納し、格納した出力先識別情報を、ネットワークインターフェース３４０を介して情報提供装置４００に送信するようになっている。
【００２６】
情報提供装置４００は、複数の広告情報および広告情報に関する付加情報を予め格納する広告情報格納部４１０と、現在時刻を表す時刻情報を生成する時刻情報生成部４２０と、広告情報格納部４１０より広告情報および付加情報を取得する広告情報取得部４３０と、広告情報を配信する広告情報配信部４４０と、端末識別情報に対応する携帯端末装置２００の送信アドレスを表すアドレス情報を格納するアドレス情報格納部４５０と、アドレス情報格納部４５０よりアドレス情報を取得するアドレス情報取得部４６０と、付加情報を送信する付加情報送信部４７０と、ネットワーク１０に接続された装置と通信を行うネットワークインターフェース４８０とを備えている。
【００２７】
広告情報格納部４１０には、複数の広告情報および広告情報に開する付加情報が対応して格納されている。ここで、付加情報には、例えば広告情報に示される店舗への地図、イベント等のスケジュール、広告の詳細情報、広告元によって開設されたホームページのアドレス、および広告元に有効なクーポン情報等が含まれる。なお、広告情報格納部４１０には、全ての広告情報に対する付加情報が格納されているとは限らない。
【００２８】
広告情報取得部４３０は、予め定められたスケジュールに基づいて広告情報格納部４１０に格納されている広告情報および付加情報を取得するようになっている。ここで、広告情報取得部４３０は、情報表示装置３００によって送信された属性情報と出力先識別情報とをネットワークインターフェース４８０を介して受信（以下、単にアクセスという）すると、属性情報、出力先識別情報、および時刻情報生成部４２０によって生成された時刻情報に基づいて広告情報格納部４１０より広告情報および付加情報を取得するようになっている。
【００２９】
図２は、アクセス時に広告情報取得部４３０によって取得される広告情報を示す広告情報テーブルを示す概念図である。広告情報テーブルは、時刻情報で示される時刻毎（時間帯１、時間帯２、…）に用意されている。広告情報取得部４３０は、図２に示す広告情報テーブルを用いて、属性情報、情報表示装置を特定する出力先識別情報、および時刻情報に表される時刻が含まれる時間帯に従って、取得すべき広告情報を特定するようになっている。
【００３０】
なお、図２において、属性情報を用いる代わりに、属性情報によって導かれる他の属性情報を用いるようにしてもよい。すなわち、情報表示装置３００によって送信された属性情報が「イベント情報誌１」である場合には、この「イベント情報誌１」によって導かれる「若年層」といった他の属性情報を用いるようにしてもよい。
【００３１】
また、広告情報取得部４３０は、図２に示す広告情報テーブルおいて、属性情報、出力先識別情報、および時刻情報に応じて特定の広告情報を取得するようになっているが、属性情報、出力先識別情報、および時刻情報に応じて複数の広告情報を選択し、選択された広告情報の中から、無作為または順番に１つの広告情報を取得するようにしてもよい。
【００３２】
広告情報配信部４４０は、広告情報取得部４３０によって取得された広告情報を、ネットワークインターフェース４８０を介して情報表示装置３００に送信するようになっている。
【００３３】
次に、広告情報配信部４４０によって配信される広告情報について詳しく説明する。ここで、図３は、情報提供装置４００による広告情報の配信を示す説明図である。図３（ａ）に示すように、情報提供装置４００は、予め定められたスケジュールに基づいて広告Ａ、広告Ｂ、広告Ｃ、広告Ｄ、広告Ｅ、広告Ａ、広告Ｂ、広告Ｃ…というように広告情報を順次配信している。
【００３４】
ここで、広告情報「広告Ｃ」を配信している間に、時刻ｔ１でアクセスが発生した場合には、図３（ｂ）に示すように、情報提供装置４００は、前述した広告情報テーブルに基づいて広告情報取得部４３０によって取得された広告情報「広告Ｘ」を現在配信している広告情報「広告Ｃ」の次に配信するようになっている。広告情報「広告Ｘ」を配信した後に、情報提供装置４００は、予め定められたスケジュールに基づいた広告情報の配信を再開する。
【００３５】
なお、図３（ｃ）に示すように、情報提供装置４００は、広告情報「広告Ｃ」を配信している間に、時刻ｔ１でアクセスが発生した場合には、現在配信している広告情報の配信を中断し、広告情報「広告Ｘ」を配信するようにしてもよい。
【００３６】
また、図３（ｄ）に示すように、時刻ｔ１でアクセスが発生した直後に、例えば時刻ｔ２で、同一の出力先識別情報と異なる属性情報とによるアクセスが発生した場合には、情報提供装置４００は、広告情報テーブルに基づいて取得した広告情報「広告Ｙ」を現在配信している広告情報「広告Ｘ」の次に配信するようになっている。
【００３７】
図１に戻り、アドレス情報格納部４５０には、端末識別情報に対応した携帯端末装置２００の電子メイルアドレス等のネットワーク１０におけるアドレス情報が格納されている。アドレス情報取得部４６０は、情報表示装置３００によって送信された端末識別情報に対応するアドレス情報を、アドレス情報格納部４５０より取得するようになっている。
【００３８】
付加情報送信部４７０は、広告情報取得部４３０によって取得された付加情報を、アドレス情報取得部４６０によって取得されたアドレス情報に基づいてネットワークインターフェース４８０を介して送信するようになっている。
【００３９】
ここで、付加情報送信部４７０は、無線タグリーダ３１０によって属性情報が読み込まれると、予め定められた時間範囲内で最も近い時点で読み込まれた端末識別情報に対応するアドレス情報に基づいて付加情報を送信するようになっている。すなわち、付加情報送信部４７０は、無線タグリーダ３１０によって属性情報とほぼ同時に読み込まれた端末識別情報に対応するアドレス情報に基づいて付加情報を送信するようになっている。これにより、雑誌１００の所有者と携帯端末装置２００の所有者が異なる場合に、携帯端末装置２００に付加情報が送信されることを防止できる。
【００４０】
Ｂ．実施形態の動作
次に、本実施形態の動作について詳細に説明する。
ここで、図４は、情報表示装置３００の動作を示すフローチャートである。まず、広告閲覧者が情報表示装置３００に接近すると、雑誌１００に付された第１の無線タグ１１０に格納された属性情報、および携帯端末装置２００に付された第２の無線タグ２１０に格納された端末識別情報が無線タグリーダ３１０によって読み込まれる（Ｓ１１０）。
【００４１】
次に、無線タグリーダ３１０によって読み込まれた属性情報および端末識別情報と出力先識別情報格納部３３０に格納されている出力先識別情報とがネットワークインターフェース３４０を介して情報提供装置４００に送信される（Ｓ１２０）。
【００４２】
ここで、情報表示装置３００の近傍を通過しただけの者が所持する物品に付された無線タグによって広告情報提供システム１０００が動作しないよう、予め定められた時間、継続的に読み込まれた属性情報があった場合にのみ、属性情報、端末識別情報、および出力先識別情報を情報提供装置４００に送信するようにしてもよい。
【００４３】
一方、情報提供装置４００によって送信された広告情報は、広告情報出力部３２０によってネットワークインターフェース３４０を介して受信され（Ｓ１３０）、受信された広告情報が広告情報出力部３２０によって出力される（Ｓ１４０）。
【００４４】
次に、図５は、情報提供装置４００の動作を示すフローチャートである。まず、情報表示装置３００によって送信された属性情報、端末識別情報、および出力先識別情報が広告情報取得部４３０によって受信されたか否かを判断する（Ｓ２１０）。そして、属性情報および出力先識別情報が広告情報取得部４３０によって受信されると、属性情報、出力先識別情報、および時刻情報生成部４２０によって生成された時刻情報に基づいて広告情報格納部４１０より広告情報および付加情報が広告情報取得部４３０によって取得される（Ｓ２２０）。
【００４５】
次に、付加情報が取得されたか否かを判断し（Ｓ２３０）、広告情報取得部４３０によって付加情報が取得されると、情報表示装置３００によって送信された端末識別情報に対応するアドレス情報が、アドレス情報取得部４６０によってアドレス情報格納部４５０から取得され（Ｓ２４０）、取得されたアドレス情報に基づいて付加情報が、付加情報送信部４７０によってネットワークインターフェース４８０を介して送信される（Ｓ２５０）。
【００４６】
一方、属性情報および出力先識別情報が広告情報取得部４３０によって受信されなかった場合には、予め定められたスケジュールに基づいて広告情報格納部４１０より広告情報が広告情報取得部４３０によって取得される（Ｓ２６０）。
【００４７】
広告情報取得部４３０によって取得された広告情報は、ネットワークインターフェース４８０を介して広告情報配信部４４０によって情報表示装置３００に送信される（Ｓ２７０）。
【００４８】
上述した本実施形態による広告情報提供システム１０００によれば、広告閲覧者が携行する物品に付された無線タグに格納された情報に基づいて提供する広告を変化させ、広告に関する付加情報を広告閲覧者に向けて送信するため、広告の切り換えや広告に関する情報の要求操作をしない広告閲覧者に対しても広告効果を向上させることができる。
【００４９】
【発明の効果】
以上説明したように、本発明によれば、広告閲覧者が携行する物品に付された無線タグに格納された情報に基づいて提供する広告を変化させ、広告に関する付加情報を広告閲覧者に向けて送信するようにしたので、広告の切り換えや広告に関する情報の要求操作をしない広告閲覧者に対しても広告効果を向上させることができるという利点が得られる。
【図面の簡単な説明】
【図１】本発明の一実施形態に係る広告情報提供システムの構成を示すブロック図である。
【図２】本発明の一実施形態に係る広告情報取得部によってアクセス時に取得される広告情報を示す広告情報テーブルの概念図である。
【図３】本発明の一実施形態に係る情報提供装置による広告情報の配信を示す説明図である。
【図４】本発明の一実施形態に係る情報表示装置の動作を示すフローチャートである。
【図５】本発明の一実施形態に係る情報提供装置の動作を示すフローチャートである。
【符号の説明】
１００  雑誌
１１０  第１の無線タグ
２００  携帯端末装置
２１０  第２の無線タグ
３００  情報表示装置
３１０  無線タグリーダ
３２０  広告情報出力部
３３０  出力先識別情報格納部（出力先識別情報格納手段）
３４０  ネットワークインターフェース
４００  情報提供装置
４１０  広告情報格納部（広告情報格納手段）
４２０  時刻情報生成部（時刻情報生成手段）
４３０  広告情報取得部（広告情報取得手段）
４４０  広告情報配信部（広告情報出力手段）
４５０  アドレス情報格納部（アドレス情報格納手段）
４６０  アドレス情報取得部（アドレス情報取得手段）
４７０  付加情報送信部（付加情報送信手段）
４８０  ネットワークインターフェース
【図１】
2004341316.tif 000003
【図２】
2004341316.tif 000004
【図３】
2004341316.tif 000005
【図４】
2004341316.tif 000006
【図５】
2004341316.tif 000007